(57)【要約】      （修正有）【課題】体育館等の平板床面に対して，床に加工を施さないで柔道畳がずれないように固定するための畳固定枠および取り付けシート，粘着テープからなる畳寄せ枠を提供する。【解決手段】畳固定枠１及び取り付けシート２、粘着テープ３ａ、３ｂからなる畳寄せ枠であって，平板床面４に対して，取り付けシート２を畳固定枠１に巻き付ける状態で粘着テープ３ａ、３ｂを用いて平板床面に固定し，畳固定枠設置の際、シートの下面の一端の取り付け部３ａより，上面の一端の取り付け部３ｂを長くすることで摩擦係数を高め，この上に畳を隙間のないように設置し，取り付けシートの上部と下部の横方向の摩擦及び畳の上からの圧力により，柔道畳が横の力でずれようとすればするほど固定枠を締め付ける構造を形成し，畳の横滑りが少なくなる効果を持つ構成にした。【選択図】図３
0003138192.tif 000002
【実用新案登録請求の範囲】
【請求項１】
一端が凸形状１ａ，他端が凹形状１ｂを成す畳固定枠１の２カ所またはそれ以上の個所に取り付けシート２ａ，２ｂを畳固定枠１に巻き付ける状態で包含し，取り付けシート２ａ，２ｂの床面側のシート端の長さより，畳面側のシート端の長さを長くしたことを特徴とする畳み寄せ枠．
【請求項２】
畳固定枠１の縁部が直線状をなし，外側の角面が面取りされた請求項１記載の畳寄せ枠．
【請求項３】
畳固定枠１が硬質ゴムやウレタン発泡体樹脂製などの伸縮可能かつ復元可能な素材により形成された請求項１〜２に記載の畳寄せ枠．
【請求項４】
請求項１を用いて，図３のように取り付けシート２は畳固定枠１および床面と畳下面の間に挟みこんで設置し，取り付けシートの端末は粘着テープ３ｂを３ａの固定位置よりも，少なくとも１５ｃｍ以上長めに伸ばし，３ａの粘着テープを取り付けシートが覆い被さる状態で３ｂを平板床面に粘着テープで固定することを特徴とする本考案の設置方法．
【考案の詳細な説明】
【技術分野】
【０００１】  本考案は，体育館等で，畳やマット，特に柔道競技などに用いる柔道畳を設置する場合に，畳がずれないように固定するための畳固定枠ユニットに関する．
【背景技術】
【０００２】  体育館または講堂等，普段は道場として使用されていない建物の構造物において，柔道等の武道やスポーツの競技大会，試合，又は練習などを行う場合には，その床面に畳を敷いて臨時の道場とするが，会場を借りるために床面に取り付け用の穴や溝などの加工をすることができない．また，会場は，試合後，畳を片付けて元の状態に戻す必要がある．【０００３】  柔道の競技中に際しては，危険防止と機能上，畳が会場内の床面に確実に取り付けられ，滑らないような状態を確保する必要がある．これまでの柔道畳を平面床に固定する手法としては，畳と床の間に両面テープや粘着シートを張りその粘着力のみで固定する方法，吸盤を畳下に設けて床面から浮き上がり防止を施したものなど，畳の下部を直接固定する方式と，畳を敷き詰めた外側を木製などの頑強な固定枠型で囲む方式がある。また，一般家庭用畳に対しては、プラスチック製の補助外枠として畳枠ユニットなどが考案されている．
【特許文献１】登録実用新案第３０３８８７２号
【特許文献２】特許公開２００１−１７１０４３
【特許文献３】実用新案公開平６−１１７６６
【特許文献４】登録実用新案第３０３２８９０号
【０００４】  従来の柔道畳の固定方法である畳の下に両面の平面テープを用いる方法では，畳が完全にずれないようにするために全ての畳の下の全体にテープを貼る必要があり，片付ける際には，畳を重ねるために補助シートを挟む作業が加わり，作業が大変であった．また，粘着力がゴミの付着により弱まり連続的に使用するには固定力に問題があった．吸盤を用いる方法はその吸着力が弱く，試合などの連続使用に対して畳の横方向のずれには十分耐えるものではなかった．畳を敷き詰めた外側を木製などの頑強な固定枠型で囲む方式は，固定枠全体で畳を保持し自重を利用して畳を固定するが，設置には大掛かりな作業を要する．競技用ではなく，一般家庭用畳向けのプラスチック製の補助外枠として畳枠ユニットは，設置が用意であるが競技などの強い横滑りに耐えうるものではない．
【考案の開示】
【考案が解決しようとする課題】
【０００５】  本考案の目的は，体育館等の穴開け加工設置等が困難な平板床面において，会場の大きさや設置形状を選ばずに，簡単な作業により床面に対して畳を確実に固定して滑らないようにすると共に，試合が長期にわたって行われた場合にも堅固に畳を固定維持でき、設営と終了後には，床面に傷をつけないで容易に解体撤去が可能な柔道畳の簡易固定手段を提供することである．
【課題を解決するための手段】  以下，本考案の実施方法について図１〜図５に基づいて説明する．【０００６】  本考案は，図１に示すような畳固定枠１および取り付けシート２ａ，２ｂ，粘着テープ３ａ、３ｂからなる柔道競技用畳を固定する畳寄せ枠であって，取り付けシート２ａ，２ｂを畳固定枠１に巻き付ける状態で包含し，取り付けシート２ａ、２ｂの両端を畳固定枠１の畳設置側の方へ向ける．さらに取り付けシート２ａ，２ｂの床面側のシート端の長さより，畳面側のシート端の長さを長くする．取り付けシート２ａ，２ｂの両端は粘着テープ３ａ，３ｂを用いて床に固定する．【０００７】  畳固定枠１は，図２のように一端が凸形状１ａ，もう一端が凹形状１ｂを成す構造で，半間（９０ｃｍ程度）を１単位とするユニットを構成し，畳固定枠１ａをもう一報の畳固定枠１ｂにはめ込むことで連結する構造を有し，会場の大きさや形状にあわせた畳の設置に対して畳固定枠の連結数を調整することにより，畳敷きの面積を調整できる．【０００８】  図３は，本考案の畳固定枠１と取り付けシート２および粘着テープ３ａ，３ｂの設置方法を示すもので，畳固定枠１を取り付けるための取り付けシートは床面と畳下面の間に挟みこんで設置される．取り付けシートの幅は概ね２５ｃｍ〜３５ｃｍ程度の幅が良い．なお、図１では一つの畳固定枠１に対して取り付けシート２ａ、２ｂのように２個所に取り付けシートが設置されているが，３個所またはそれ以上設置してもよい．取り付けシートの一端は粘着テープ３ａによって平板床面４に先に固定し，畳固定枠１を包含した後，取り付けシートのもう一端を粘着テープ３ａの固定位置よりも，少なくとも１５ｃｍ以上長めに伸ばし，粘着テープ３ａを取り付けシートが覆い被さる状態で粘着テープ３ｂを平板床面に固定する．【０００９】  設置の際，図３のようにシートの下面の一端の取り付け部３ａより，上面の一端の取り付け部３ｂを長くすることにより取り付けシートの摩擦度を強め，少ない布製の粘着テープの設置面積でも，取り付けシートの上部と下部の横方向の摩擦及び畳の上からの圧力により，柔道畳が横の力でずれようとすればするほど，固定枠を締め付ける構造を形成し，畳の横滑りが少なくなる効果を発揮できる．【００１０】  取り付けシート自体に粘着力は必要ないが，材質は摩擦係数の大きいものが好ましく，伸縮のない丈夫な素材とする．通常，畳の縦方向に対して１箇所程度，横方向に対しては２箇所程度の割合で取り付けシートを設置し畳固定枠を留める．【００１１】  図４は，本考案の畳固定枠１と取り付けシート２を用いて平板床面４に対して，柔道畳５を固定した会場上面からの設置例を示し，図５は，その横方向から見た設置例を示す．以上のように畳固定枠に取り付けシートを平板床面に設置すると、試合中にずれることはない．
【考案の効果】
【００１２】  本考案の畳固定枠及び取り付けシートは，畳固定枠全体で畳を固定する方法とは異なり，床面取り付けシートと固定枠の設置面で畳を固定する手法であるために，長さの調整加工が容易である．このために，長方形以外の変形した床面形状にあわせての畳固定枠の長さを調整することにより会場の形体にあわせた設置が可能となる．【００１３】  従来の固定枠では畳を枠全体で強固に固定するために，木枠や硬質材料が用いられていた．しかし，硬質な枠では場外付近で競技者が投げられたときに危険であり，設置／解体の際に木枠を床に誤って落としたりして傷をつけることが多かった．これに対して，本考案の畳固定枠は、取り付けシートと畳との接地面のみで畳をピンポイントで押さえるため，衝撃吸収をし易く復元が可能なラバーゴムやウレタン材などの収縮が可能な素材を用いることが可能なために，競技者の怪我防止と設置時と解体撤去作業時の傷の心配が同時に不要となる．【００１４】  粘着テープのみで固定する手法であるため，解体作業時には，床から容易に剥がすことができる．畳の接地面全体を粘着テープで固定する方法に比べて，柔道競技場の外周の畳に接する固定枠の一部のみを粘着テープで留める方式であるため、粘着設置の面積が少なく，粘着テープの跡形も残らない．このため，借り上げの体育館等で補修費などの心配が不要となるだけでなく，設置／解体作業時の大幅な時間短縮が可能であり，粘着テープ以外は再利用が可能である．
【考案を実施するための最良の形態】
【００１５】  本考案の畳寄せ枠の構成要素である畳固定枠の材質には，特に制限はなく，公知の材料（たとえば，木製，金属製など）を使用することができ，取り付けシートも特殊な滑り止め加工がなされていなくても良い．しかし、畳固定枠には，硬質ゴムや，発泡体樹脂製などの衝撃吸収がし易い材料を用いることで，使用者の安全性と設置時の床面保護の効果がある．【００１６】  畳固定枠は，畳の縁部に接して畳を固定して動かないようにするが，使用時に競技者などの障害とならないように，その高さは畳の厚さよりも若干低くすることが好ましく，通常，床からの高さを３５〜５０ｍｍ程度の範囲とし，その幅も４０〜６５ｍｍ程度とし，競技者の畳縁際の試合に配慮して，足のかかと等に負担がないように，外側の角面はテーパー構造の面取りが成されることが望ましい．
【産業上の利用可能性】
【００１７】  本考案の畳固定枠および取り付けシートを使用することによって，体育館や講堂等，普段は道場として利用されていない建物の床面上に畳を敷くことにより，構造物に穴や溝などの加工が不要で簡易に競技場の設置ができるため，借り上げの施設での競技設営が可能となる．
また，従来の畳固定枠では，木製や鉄製の強固な枠組みで滑らないように固定することが多かったが，本考案では，主として滑り止めシート面のポイントで支持して固定するため固定枠には，衝撃吸収し，形状復元のし易い硬質ゴムや発泡体樹脂製によるものを利用するため，競技者の安全性が向上するだけでなく，設置時に設置床面に落としても傷をつけることがない．
【図面の簡単な説明】
【００１８】
【図１】  畳固定枠と取り付けシートの固定方法を示す図である．体育館等の平板床面と畳固定枠の設置例を示した平面図である．
【図２】  畳固定枠の形状と連結を示した図である．
【図３】  畳固定枠と取り付けシートの固定状況と畳の設置関係を示す断面図である．
【図４】  体育館等における畳寄せ枠と柔道畳の設置状態を上面から示す図である．
【図５】  体育館等における畳寄せ枠と柔道畳の設置状態を横方向から示す図である．
【符号の説明】
１  畳固定枠
２  取り付けシート
３  粘着テープ
４  平板床面
５  柔道畳
【図１】
0003138192.tif 000003
【図２】
0003138192.tif 000004
【図３】
0003138192.tif 000005
【図４】
0003138192.tif 000006
【図５】
0003138192.tif 000007
【手続補正書】
【提出日】平成19年9月18日(2007.9.18)
【手続補正１】
【補正対象書類名】実用新案登録請求の範囲
【補正対象項目名】全文
【補正方法】変更
【補正の内容】
【実用新案登録請求の範囲】
【請求項１】
柔道畳を固定するための畳固定枠と，その畳固定枠を平面床に固定するための，両端に粘着テープを付した取り付けシートの組合せからなる畳寄せ枠．
【請求項２】
一端が粘着テープによって平面床に固定された取り付けシートと，そのシート上に対して垂直に置かれた畳固定枠を，取り付けシートの固定された反対側の一端を用いて包み一重巻き付けた後，先に平面床に固定されている取り付けシートの一端が覆い重なるように被せた状態で，平面床に粘着テープで固定する構造をもって柔道畳の縁を留めることを特徴とする請求項１に記載の畳寄せ枠．
【請求項３】
畳固定枠が直方体の形状をなし，連結部となる側面の一端が凸形状，他端が凹形状をなすことによって２個以上の畳固定枠の連結を可能とし，平面床に設置された畳固定枠の外側面の上部の角が面取りされた請求項１〜２に記載の畳寄せ枠．
【請求項４】
畳固定枠の部材が硬質ゴムやウレタン発泡体樹脂などの伸縮可能かつ復元可能な素材により形成された請求項１〜３に記載の畳寄せ枠．
【手続補正３】
【補正対象書類名】明細書
【補正対象項目名】０００４
【補正方法】変更
【補正の内容】
【０００４】  従来の柔道畳の固定方法である畳の下に両面の平面テープを用いる方法では，畳が完全にずれないようにするために全ての畳の下の全体にテープを貼る必要があり，片付ける際には，畳を重ねるために補助シートを挟む作業が加わり，作業が大変であった．また，粘着力がゴミの付着により弱まり連続的に使用するには固定力に問題があった．吸盤を用いる方法はその吸着力が弱く，試合などの連続使用に対して畳の横方向のずれには十分耐えるものではなかった．畳を敷き詰めた外側を木製などの頑強な固定枠型で囲む方式は，固定枠全体で畳を保持し自重を利用して畳を固定するが，設置には大掛かりな作業を要する．競技用ではなく，一般家庭用畳向けのプラスチック製の補助外枠として畳枠ユニットは，設置が容易であるが競技などの強い横滑りに耐えうるものではない．